(57)【要約】【課題】断熱シート材を使用し、レイアウトの容易さと低価格な空調が可能な、可動式断熱間仕切り造物を提供する【解決手段】伸縮式断熱構造物を対向させ、空間を持たせる蛇腹構造を採用する事で、更に断熱性能を向上させ、壁面又は天井に接する部分を、略密閉構造とする可動式断熱間仕切り構造物とする。【選択図】　図５
2004124673.tif 000002
【特許請求の範囲】
【請求項１】
熱貫留率が１．０−１．４にある軟質断熱材と両面もしくは片面をアルミ箔同等材で積層又は該同等材質をコーティングした防水シートを積層した定尺材を、蛇腹状もしくは折りたたみみ式に形成し、可動式とした断熱構造物
【請求項２】
請求項１の構造物であって、該構造物同士を対向させ、該構造物の間に、空間を作るように縫合形成された可動式断熱構造物を用いた内外壁兼用の伸縮式断熱間仕切り構造物
【請求項３】
請求項２の構造物であって、該構造物に左右にスライド又は上下に昇降できる機能を付与し、少なくも隣接する様に組みつけられた該構造物の２面又は２対の対向する該構造物の内部に冷暖・空調可能な空間を設け、略密閉構造とした、可動式の間仕切り構造物
【発明の詳細な説明】
【０００１】
【発明の属する技術分野】
本発明は、軟質断熱材と両面もしくは片面をアルミ箔同等材で積層又は該同等材質をコーティングした防水シートを積層した定尺材を（以下断熱シートと呼ぶ）、任意の位置で密着屈曲させ蛇腹状もしくは折りたたみ形状に形成した断熱用構造物を用いた内外壁兼用の伸縮式断熱間仕切り構造物に関する。
【０００２】
【従来の技術】
従来の断熱シート材は基本的に平板の状態である為、可鞭性を持たせて使用するには、該材料の持つ硬さと復元力の為、任意の幅で布カーテンの様に自由に屈曲させ、その形状を維持する事は困難であった。この為、ほとんどは平板としての用途に限定されていた。従って、断熱内外壁を可動式又は折りたたみ式にする場合の用途に対しては、レールと該建築物の間の隙間を防ぐ必要があり、実施例もほとんど見られない。
【０００３】
これを可動式又は折りたたみ式の構造面から、従来の実施例を見ると特開平８−９１３７７に見られるパレットの開閉方法、平４−１７３５９１に見られる蛇腹形状の胴壁や平４−７２１８７に見られる大型筒状容器など多くの事例が開示されている。しかしながらこれらの構造及び加工方法と本発明は明らかに異なる物である。
【０００４】
【発明が解決しようとする課題】
従来の断熱シート材は、上述したようにほとんどの場合、定尺材としてそのままの形状で使われている。その用途は多くの場合、温湿度をコントロールする貯蔵庫や断熱効果を利用した建築物の内外壁材として多く使用されている。しかし近年、製品の冷蔵保存や空調用に、レイアウトの容易さと低価格な貯蔵庫として、組み立て式又は移動可能な貯蔵庫等が望まれている。本発明は、こうした要求に鑑み発明されたもので、テント等の製造に多く使用されている、縫製技術を使用して定尺材の軟質断熱材を任意の位置で屈曲密着させ、その形状を維持する事で、折りたたみ式構造の実現を図り、この問題を解決したものである。更に本発明の折りたたみ式断熱構造物を対向させ、空間を持たせる構造（蛇腹式構造）を採用する事で、更に断熱性能を向上させる事ができる。
【０００５】
【課題を解決するための手段】
すなわち、従来の定尺材を任意の位置で１８０度に屈曲密着させ、その屈曲端面から最大５０ｍｍ以下の範囲の中を貫通縫合させ、同じ幅で重るように上記工法を繰り返し形成した定尺の軟質断熱材同士を二重にさせるようように縫合して、要求に応じた高さ又は長さで対応できるような可動式の内外壁構造物とこれを用いた可動式断熱間仕切り造物を提供する事を目的としている。
【０００６】
【発明の実施の形態】
発明の実施の形態を実施例にもとづき図面を参照して説明する。
図１は、断熱シート定尺材の断面図で、軟質断熱材１は軟質ウレタンの８ｍｍ厚を使用し、表面にアルミ箔２をコーティングした防水シート３を積層して構成されている。この定尺材は、ロール状に形成された（図示せず）素材を一定の長さに切り出して供給される。この定尺材は、一般建材として通常のテント材料メーカー等から容易に入手する事が出来る。本発明で使用した軟質ウレタン材は８ｍｍ〜１０ｍｍの厚さで利用できる。
【０００７】
本発明の実施例では、この断熱シートを任意の位置で屈曲密着させ、テント等で使用されている縫製技術を用いて、貫通縫製し同じ幅となるようにこの作業を繰り返し、図２の立体外観構造物を得ることが出来る。具体的には、６のハトメを取り付ける幅は、４の密着折り曲げ端部と５の縫合位置の幅より５ｃｍ程広めに縫合する。上述の折り曲げ端部と縫合位置は通常５ｃｍ以下が良い。又、実施例では同じ幅に繰りかえされて、屈曲される幅は、５の縫合部同士の距離を２０ｃｍの長さとして縫合した。この幅はこれに限定されるものでなく、通常２０ｃｍから４０ｃｍの幅で、製品対象に応じて選択できる。図４においてハトメ側を裏面、ハトメと反対側を表面とする。ここに使用するハトメの形状を図３に示す。材質は真鍮から出来ており、図４に示す７及び８の断熱構造物を裏面同士対向させて、結合する為の連結用穴９を構成する。
【０００８】
更に、略密閉構造を確保する為、図４の１０に示される切り込み部を、同図に示す断熱構造物７及び８の同一片側端部及び両側端部にそれぞれに施工した後に、上述したハトメを図４に示す、断熱構造物７及び８の双方に取り付けて，同図に示す７の断熱構造物−ａ及び８の断熱構造−ｂが得られる。これらの構造物を対向結合して得られる蛇腹方式の側面断面構造を図５に示す。この構造により、断熱効果を更に高める中空部１２を得る事が出来る。本発明では、この構造物を可動式断熱構造物の間仕切りユニットとして、使用する。以下にこの構造の基本構造を述べる。
【０００９】
図６に示す構造は本発明の実施例で、上下に可動できるようにした基本構造の一実施例を示したものである。ここでは上下の可動手段として一般的に使用されている、安価なワイヤー１４による巻き上げ方式を採用している。ワイヤーは図６の構造物の上部端部１３側に取り付けられたロッド１７に巻き取られる。同図６のレールは、前述した図４の切り込み部１０に取り付ける。このレール１２は、壁面部等に固定され、壁面と断熱構造物の端面部が略密閉構造としての機能を付与する事が出来る。
【００１０】
図７に示す構造は本発明の別の実施例で、左右に可動できるようにした別の基本構造の一実施例を示したものである。ここでは左右の可動手段として一般的にカーテンレール等に使用されている、フック付きランナーとレールの組み合わせによる方式を採用している。図８にフック付きランナー１８とレール１９の立体外観図を示す。このフック付きランナー１８は、前述した図４の切り込み部１０に取り付ける。この状態は、図８における２０に示す通りである。この時の注意事項としては、このレール部が切り込み部分端部と同一面若しくは若干突出する様に取り付け、天井等と断熱構造物の天井側端面の間が略密閉構造と成る様にする事が大切で図９のｂの様に組み立てると良い。
【００１１】
図１０から図１２に、上述した図６及び図７の基本構造を用いて作製した略密閉構造の可動式間仕切り構造物の実施例を示す。図１０の可動式間仕切り構造物は左右に可動可能な図７に示す様な基本構造物を使用して、壁面コーナー部を利用した組み立て事例を示す。図１１は上下に可動可能な図６に示す様な基本構造物を使用して、同じ様に壁面コーナー部を利用した組み立て事例を示す。図１２は上下に可動可能な図６に示す様な基本構造物を通路に応用した組み立て事例を示す。こうした組み立てにより組み立てられた間仕切りの内部は、冷暖・空調可能な空間を設ける事ができ、レイアウトの容易さと低価格な貯蔵庫や部分的な空調スペースとして、提供出来るものである。
【００１２】
以上、本発明を実施例に基づいて記載したが、本発明はこの記載事項に限定されるものでなく、本発明の請求事項に合致している物全てに適用されるものである。
【００１３】
【発明の効果】
本発明は、以上説明したように構成されているので、以下に記載される様な効果を奏でる。
【００１４】
断熱シートを、任意の位置で屈曲密着させ、テント等で使用されている縫製技術を用いて、貫通縫製し同じ幅となるようにこの作業を繰り返し、形成する事により可動式の断熱構造物を得ることが出来る。
【００１５】
そして、該断熱構造物を対向して組み立てる事によりその内部を中空とする事が可能で、断熱効果を更に高めた蛇腹構造の可動式断熱間仕切りユニットとして、提供する事が出来る。
【００１６】
さらに、該可動式断熱間仕切りユニットは、可動方向を上下又は左右に構成することで、これを使用する目的に応じた可動方法を提供出来る。この際、該可動式断熱間仕切りユニット端部と接触する壁面側又は天井の間を上述した方法で略密閉構造にする事で、空調の効率を高める事が出来る。
【００１７】
さらに、本発明による構造は、可動式断熱間仕切り用構造物として提供が可能な為、安価で且つレイアウトの変更が容易である。従って、使用目的に応じて、該間仕切り用構造物に囲まれる内部の空調コントロールは、暖冷房ユニットの選択により、暖房又は冷房等その内容を自由に選択できる。
【図面の簡単な説明】
【図１】断熱シート定尺材の断面図である（本図は両面積層で図示）
【図２】定尺材から形成された、折りたたみ式の断熱構造物の立体外観図である
【図３】ハトメの立体外観図である
【図４】中空部を形成した蛇腹式の断熱構造物の立体組み立て図
【図５】蛇腹式の断熱構造物の断面図である
【図６】上下に可動式とした蛇腹方式の構造物を示す立体外観図である
【図７】左右に可動式とした蛇腹式の構造物を示す立体外観図である
【図８】フック付きランナーとハトメの結合方法を示す図である
【図９】略密閉性を考慮した構造を示す図である
【図１０】左右に稼動可能な断熱間仕切り構造物の事例を示す図である
【図１１】上下に稼動可能な断熱間仕切り構造物の事例を示す図である
【図１２】上下に稼動可能な断熱間仕切り構造物の別の事例を示す図である
【符号の説明】
１　　軟質断熱材
２　　アルミ箔又は同等材
３　　防水シート
４　　密着折り曲げ端部
５　　縫製部
６　　ハトメ
７　　断熱構造物ａ
８　　断熱構造物ｂ
９　　連結穴
１０　切り込み部
１１　中空部
１２　レール
１３　上部端部
１４　ワイヤー
１５　壁面固定側端部
１６　重り
１７　ロッド
１８　ランナー
１９　ランナーガイドレール
２０　ハトメとランナーの固定
２１　マチ
【図１】
2004124673.tif 000003
【図２】
2004124673.tif 000004
【図３】
2004124673.tif 000005
【図４】
2004124673.tif 000006
【図５】
2004124673.tif 000007
【図６】
2004124673.tif 000008
【図７】
2004124673.tif 000009
【図８】
2004124673.tif 000010
【図９】
2004124673.tif 000011
【図１０】
2004124673.tif 000012
【図１１】
2004124673.tif 000013
【図１２】
2004124673.tif 000014